(57)【要約】【課題】ターンテーブル装置を、より簡素な構造をもって、かつ、その設置もより容易な態様のものとして、提供する。【解決手段】設置面Ｇに対して回転可能に支持されたテーブルプレート１と、テーブルプレート１の裏面１０と設置面Ｇとの間にあってテーブルプレート１を支持する複数の支持具２、２…とを備えている。複数の支持具２、２…がそれぞれ、テーブルプレート１の裏面１０にボール上端を接してテーブルプレート１を支持するボール体２０と、ボール体２０を全方向に回転可能に保持する保持空間２１ａを有すると共に、保持空間２１ａに連通し、かつ、ボール体２０の直径よりも穴径を小さくさせたボール体２０のボール上端の突き出し穴２１ｂを備えた保持体２１とを備えている。【選択図】図２
2005119329.tif 000002
【特許請求の範囲】
【請求項１】
プレート中心を回転中心とするようにして設置面に対して回転可能に支持されたテーブルプレートと、
テーブルプレートの裏面と設置面との間にあってこのテーブルプレートを支持する複数の支持具と、
テーブルプレートの側方にあってテーブルプレートの外周部に対しこのテーブルプレートを回転させる駆動力を作用させる駆動手段とを有しているターンテーブル装置であって、
前記複数の支持具がそれぞれ、
テーブルプレートの裏面にボール上端を接してこのテーブルプレートを支持するボール体と、
このボール体を全方向に回転可能に保持する保持空間を有すると共に、この保持空間に連通し、かつ、このボール体の直径よりも穴径を小さくさせたボール体のボール上端の突き出し穴を備えた保持体とを備えていることを特徴とするターンテーブル装置。
【発明の詳細な説明】
【技術分野】
【０００１】
この発明は、テーブルプレート上に載せ置かれる自動車などの方向転換対象物の向きをテーブルプレートの回転によって転換する用途で用いられるターンテーブル装置の改良に関する。
【背景技術】
【０００２】
設置面に対して回転可能に組み付けさせたターンテーブル本体を、このターンテーブル本体の下方において、環状に構成させた部材（溝やレール）に組み込ませた複数のボールによって支持させるようにして、設置面を掘削せずに、あるいは、大幅には掘削することなく、設置できるようにしたターンテーブルとして、特許文献１および特許文献２に示されるものがある。
【０００３】
しかるに、これらのターンテーブルにあっては、前記環状に構成させた部材をターンテーブルの回転中心を円心とした同心円に沿うように配させることを余儀なくさせるものであり、その構造は必ずしも簡易なものとは言えず、また、相応の設置手間を要するものであった。また、いずれのものも、かかる部材の肉厚にボールの直径を加えた分の寸法をターンテーブル本体の裏面に必要とさせるものであり、ターンテーブルに自動車などが乗りあがり易くするために、別途の配慮を必要とさせるものであった。
【特許文献１】特開平７−１５６７６４号公報
【特許文献２】特開平８−３５３５３号公報
【発明の開示】
【発明が解決しようとする課題】
【０００４】
この発明が解決しようとする主たる問題点は、設置面を掘削などすることなく設置し得るこの種のターンテーブル装置を、より簡素な構造をもって、かつ、その設置もより容易な態様のものとして、提供する点にある。
【課題を解決するための手段】
【０００５】
前記問題点を解決するために、この発明にあっては、ターンテーブル装置が、以下の（１）〜（４）の構成を備えたものとした。
（１）プレート中心を回転中心とするようにして設置面に対して回転可能に支持されたテーブルプレートと、
（２）テーブルプレートの裏面と設置面との間にあってこのテーブルプレートを支持する複数の支持具と、
（３）テーブルプレートの側方にあってテーブルプレートの外周部に対しこのテーブルプレートを回転させる駆動力を作用させる駆動手段とを有しているターンテーブル装置であって、
（４）前記複数の支持具がそれぞれ、
テーブルプレートの裏面にボール上端を接してこのテーブルプレートを支持するボール体と、
このボール体を全方向に回転可能に保持する保持空間を有すると共に、この保持空間に連通し、かつ、このボール体の直径よりも穴径を小さくさせたボール体のボール上端の突き出し穴を備えた保持体とを備えている。
【０００６】
かかる構成によれば、テーブルプレートを支持する複数の支持具はそれぞれ、保持体の保持空間に連通した突き出し穴からボール上端を突き出させるようにしてこの保持空間において全方向に回転可能に保持されたボール体のこのボール上端によってテーブルプレートを下方から支持するようになっていることから、この複数の支持具を設置面に規則的に配列させなくても回転されるテーブルプレートを適切に支持する。すなわち、設置面におけるテーブルプレートの回転中心となる箇所以外のテーブルプレートの裏面下となる箇所に、必要な数分、適当な位置に、支持具を設置させた後、この上にテーブルプレートを載せ置き設置面に回転可能に組み付けるだけで、このように組み付けられて回転されるテーブルプレートをこのように設置された複数の支持具によって適切に支持させることができる。
【０００７】
また、複数の支持具は、保持空間を有していることから、突き出し穴を通じて潤滑油などの潤滑剤をさした場合、このようにさされた潤滑剤を保持空間において蓄えておくことができ、ボール体の円滑な回転を長期に亘り維持させることができる。
【０００８】
また、かかる支持具は、最小で、ボール体の直径分の厚さを持つように構成できることから、設置面とテーブルプレートの表面との間のピッチをできる限り小さくさせることができ、テーブルプレート上に自動車などが円滑に乗り上がるような別途の造作などを施さなくとも、こうした自動車などの方向転換用のターンテーブル装置を支障なく構成させることができる。
【発明の効果】
【０００９】
この発明にかかるターンテーブル装置は、設置面を掘削などすることなく、設置面に回転可能に備え付けられるテーブルプレートを、設置面に単純に設置させた支持具をもって支持させるだけで、容易かつ適切に設置することができる。
【発明を実施するための最良の形態】
【００１０】
以下、図１ないし図６に基づいて、この発明を実施するための最良の形態について説明する。
【００１１】
なお、ここで図１は、実施の形態にかかるターンテーブル装置を上方から見た状態として、また、図２は、断面の状態として、また、図３は、ターンテーブル装置を構成するテーブルプレート１の回転支持部分を拡大して、また、図４は、かかるテーブルプレート１を支持する支持具２の一つを拡大して、それぞれ示している。また、図５は、前記回転支持部分のみを上方から見た状態として、示している。さらに、図６は、かかる支持具２を構成する各部材を分離させて斜視の状態として示している。
【００１２】
この実施の形態にかかるターンテーブル装置は、テーブルプレート１上に載せ置かれる自動車などの方向転換対象物の向きをテーブルプレート１の回転によって転換する用途で用いられるものである。
【００１３】
かかるターンテーブル装置は、
（１）テーブルプレート１と、
（２）複数の支持具２、２…と、
（３）駆動手段３とを備えている。
【００１４】
（テーブルプレート１）
テーブルプレート１は、プレート中心を回転中心とするようにしてコンクリートで形成された床面などの設置面Ｇに対して回転可能に支持されている。
【００１５】
図示の例にあっては、かかるテーブルプレート１は、円板状をなすように構成されている。かかるテーブルプレート１は、典型的には、縞鋼板などにより構成させることができる。
【００１６】
テーブルプレート１の中心には、テーブルプレート１の回転支持体１１が備え付けられている。かかる回転支持体１１は、設置面Ｇにボルト止めされるベース体１２と、テーブルプレート１の裏面１０にボルト止めされる上部体１３とを備えている。ベース体１２の上面には、筒軸線を上下方向に沿わせるようにした内筒体１２ａの下端が一体に接合されている。また、上部体１３の下面には、筒軸線を上下方向に沿わせるようにした外筒体１３ａの上端が一体に接合されている。この外筒体１３ａの内径はベース体１２の内筒体１２ａの外径よりも大きくなっている。そして図示の例にあっては、かかる外筒体１３ａの内周面と内筒体１２ａの外周面との間にボールベアリング１４を介装させた状態で、外筒体１３ａの内方に内筒体１２ａが位置されるようにして、ベース体１２と上部体１３とが組み合わされており、これにより、内筒体１２ａの筒軸線を中心としてテーブルプレート１が設置面Ｇに対して回転可能に支持されるようになっている。
【００１７】
（支持具２）
支持具２は、テーブルプレート１の裏面１０と設置面Ｇとの間にあって、前記のように設置面Ｇに回転可能に支持されたこのテーブルプレート１を、テーブルプレート１の各所において設置面Ｇ上に支持するものである。
【００１８】
かかる支持具２は、複数個設置される。また、かかる複数の支持具２、２…はそれぞれ、
（１）ボール体２０と、
（２）保持体２１とを備えている。
【００１９】
ボール体２０は、テーブルプレート１の裏面１０にボール上端を接してこのテーブルプレート１を支持するものである。かかるボール体２０としては、金属球を用いることが予定される。
【００２０】
一方、保持体２１は、かかるボール体２０を全方向に回転可能に保持する保持空間２１ａを有すると共に、この保持空間２１ａに連通し、かつ、このボール体２０の直径よりも穴径を小さくさせたボール体２０のボール上端の突き出し穴２１ｂを備えている。
【００２１】
図示の例にあっては、かかる保持体２１は、平坦なベースプレート２１ｃと、このベースプレート２１ｃの上面に備え付けられるカバープレート２１ｄとから構成されている。両プレート２１ｃ、２１ｄ共に、鋼板によって構成させることが予定される。
【００２２】
カバープレート２１ｄは、その下面側から上方に向けて窪んだ凹所２１ｅを有していると共に、この凹所２１ｅに連通した円形の貫通穴２１ｆを有している。貫通穴２１ｆの穴径は前記ボール体２０の直径よりも小さくなるようにしてある。また、そして、この貫通穴２１ｆからボール体２０の上端側を突き出させた状態で、カバープレート２１ｄの凹所２１ｅにこのボール体２０が納められるようになっており、さらに、このようにボール体２０を納めたカバープレート２１ｄの凹所２１ｅを巡る裏面をベースプレート２１ｃの上面に一体に接合させることができるようになっている。典型的には、カバープレート２１ｄの凹所２１ｅにボール体２０を入れ込ませた後、このカバープレート２１ｄの縁部をベースプレート２１ｃの上面に溶着させることにより、保持体２１が構成される。すなわち、図示の例にあっては、カバープレート２１ｄの凹所２１ｅが前記保持空間２１ａとなり、貫通穴２１ｆが前記突き出し穴２１ｂとして機能するようになっている。
【００２３】
典型的には、カバープレート２１ｄは、鋼板に凹所２１ｅとなる窪みを形成させた後、この窪みの最奥部に窪み込んだ側からドリルなどにより貫通穴２１ｆを形成させ、さらに、この窪みの窪み込んだ側と反対の側における貫通穴２１ｆの穴縁を研磨して平坦に整えて形成される。
【００２４】
複数の支持具２、２…はそれぞれ、保持体２１のベースプレート２１ｃの裏面を、設置面Ｇに接しさせるようにして、かかる設置面Ｇに配される。このように配された支持具２におけるボール体２０のボール上端がテーブルプレート１の裏面１０に接し、設置面Ｇ上で回転されるこのテーブルプレート１の各所をこのテーブルプレート１の回転を妨げることなく支える。
【００２５】
（駆動手段３）
駆動手段３は、テーブルプレート１の側方にあってテーブルプレート１の外周部に対しこのテーブルプレート１を回転させる駆動力を作用させるものである。
【００２６】
図示の例にあっては、かかる駆動手段３は、テーブルプレート１の外縁部にこの外縁部を縁どるように形成された周回ラック１５に、駆動軸３２に形成されたギア３１をかみ合わせるようにして、テーブルプレート１の側方に配されたモータ３０によって構成されている。かかるモータ３０の駆動によって、テーブルプレート１は、設置面Ｇ上において回転される。
【００２７】
（機能）
テーブルプレート１を支持する複数の支持具２、２…はそれぞれ、保持体２１の保持空間２１ａに連通した突き出し穴２１ｂからボール上端を突き出させるようにしてこの保持空間２１ａにおいて全方向に回転可能に保持されたボール体２０のこのボール上端によってテーブルプレート１を下方から支持するようになっていることから、この複数の支持具２、２…を設置面Ｇに規則的に配列させなくても回転されるテーブルプレート１を適切に支持する。すなわち、設置面Ｇにおけるテーブルプレート１の回転中心となる箇所（すなわち、前記回転支持体１１の設置箇所）以外のテーブルプレート１の裏面１０下となる箇所に、必要な数分、適当な位置に、支持具２を設置させた後、この上にテーブルプレート１を載せ置き設置面Ｇに回転可能に組み付けるだけで、このように組み付けられて回転されるテーブルプレート１をこのように設置された複数の支持具２、２…によって適切に支持させることができる。
【００２８】
また、複数の支持具２、２…は、保持空間２１ａを有していることから、突き出し穴２１ｂを通じて潤滑油などの潤滑剤をさした場合、このようにさされた潤滑剤を保持空間２１ａにおいて蓄えておくことができ、ボール体２０の円滑な回転を長期に亘り維持させることができる。
【００２９】
また、かかる支持具２は、最小で、ボール体２０の直径分の厚さを持つように構成できることから、設置面Ｇとテーブルプレート１の表面との間のピッチをできる限り小さくさせることができ、テーブルプレート１上に自動車などが円滑に乗り上がるような別途の造作などを施さなくとも、こうした自動車などの方向転換用のターンテーブル装置を支障なく構成させることができる。
【００３０】
なお、複数の支持具２、２…は、単純に設置面Ｇに設置させても、図示の例のように、各支持具２を図１に示されるように棒材４によって接合させ合わせるようにして設置させるようにしても構わない。
【図面の簡単な説明】
【００３１】
【図１】ターンテーブル装置の平面図
【図２】同断面図
【図３】図２におけるＡ部の拡大断面図
【図４】図２におけるＢ部の拡大断面図
【図５】図３におけるＣ−Ｃ線断面図
【図６】支持具２の分離斜視図
【符号の説明】
【００３２】
１  テーブルプレート
１０  裏面
２  支持具
２０  ボール体
２１  保持体
２１ａ  保持空間
２１ｂ  突き出し穴
３  駆動手段
Ｇ  設置面
【図１】
2005119329.tif 000003
【図２】
2005119329.tif 000004
【図３】
2005119329.tif 000005
【図４】
2005119329.tif 000006
【図５】
2005119329.tif 000007
【図６】
2005119329.tif 000008